(57)【特許請求の範囲】
【請求項１】
ピギーバックされた肯定応答／否定応答（ＰＡＮ）フィールドを処理する方法であって、前記ＰＡＮフィールドはデータブロックに含まれており、移動局とネットワークとの間の特定の一時ブロックフロー（ＴＢＦ）に対する肯定応答（ＡＣＫ）および否定応答（ＮＡＣＫ）の１つを示しており、前記ＰＡＮフィールドは、第１のＴＢＦにアドレスされており、前記データブロックの中の前記ＰＡＮフィールドと多重化されたトラフィックデータは、第２のＴＢＦにアドレスされており、前記方法は、
ＰＡＮフィールドおよびＰＡＮチェックシーケンス（ＰＣＳ）の符号化されたビットを含むデータブロックを受信するステップと、
前記第１のＴＢＦに関連付けられたスクランブリングコードを用いて、デスクランブリングを実行するステップと、
前記ＰＡＮフィールドおよび前記ＰＣＳの前記符号化されたビットを復号化するステップと、
前記ＰＡＮフィールドおよび前記ＰＣＳを用いてＰＣＳチェックを実行するステップと、
前記復号化の間に計算されたソフトメトリックをしきい値と比較することによって、ソフトメトリックテストを実行するステップと、
前記ＰＣＳチェックおよび前記ソフトメトリックテストの両方がパスするという条件で、前記ＰＡＮフィールドを受け入れるステップであって、前記ソフトメトリックは、ビタビタイプフォワードエラーコレクション復号化における最善生存パスメトリックおよび２番目の最善生存パスメトリックの間の差分である、ステップと
を備えることを特徴とする方法。
【請求項２】
ピギーバックされた肯定応答／否定応答（ＰＡＮ）フィールドを処理する装置であって、前記ＰＡＮフィールドはデータブロックに含まれており、移動局とネットワークとの間の特定の一時ブロックフロー（ＴＢＦ）に対する肯定応答（ＡＣＫ）および否定応答（ＮＡＣＫ）の１つを示しており、前記ＰＡＮフィールドは、第１のＴＢＦにアドレスされ、および、前記データブロックの中の前記ＰＡＮフィールドと多重化されたトラフィックデータは、第２のＴＢＦにアドレスされており、前記装置は、
ＰＡＮフィールドおよびＰＡＮチェックシーケンス（ＰＣＳ）の符号化されたビットを含むデータブロックを受信する送受信機と、
前記第１のＴＢＦに関連付けられたスクランブリングコードを用いて、デスクランブリングを実行するデスクランブラと、
前記ＰＡＮフィールドおよび前記ＰＣＳの前記符号化されたビットを復号化するデコーダと、
前記ＰＡＮフィールドおよび前記ＰＣＳを用いて、ＰＣＳチェックを実行するＰＣＳデコーダと、
前記復号化の間に計算されたソフトメトリックをしきい値と比較することによって、ソフトメトリックテストを実行するコンパレータであって、前記ＰＣＳチェックおよび前記ソフトメトリックテストの両方がパスするという条件で、前記ＰＡＮフィールドが受け入れられ、前記ソフトメトリックは、ビタビタイプフォワードエラーコレクション復号化における最善生存パスメトリックおよび２番目の最善生存パスメトリックの間の差分である、コンパレータと
を備えたことを特徴とする装置。
【発明の詳細な説明】
【技術分野】
【０００１】
本発明は、無線通信に関する。
【背景技術】
【０００２】
待ち時間の減少は、ＧＳＭ／ＥＤＧＥ無線アクセスネットワーク（ＧＥＲＡＮ）における検討事項の１つである。待ち時間を減少するために、ＲＴＴＩ（Ｒｅｄｕｃｅｄ  Ｔｒａｎｓｍｉｓｓｉｏｎ  Ｔｉｍｅ  Ｉｎｔｅｒｖａｌ）および速い肯定応答／否定応答（ＡＣＫ／ＮＡＣＫ）報告（ＦＡＮＲ）という２つの技術が提案されている。
【０００３】
従来、ＡＣＫ／ＮＡＣＫ報告は、無線リンク制御／媒体アクセス制御（ＲＬＣ／ＭＡＣ）制御ブロックと呼ばれる明示的なメッセージによって送信される。ＡＣＫ／ＮＡＣＫ報告は、一時ブロックフロー（temporary block flow：ＴＢＦ）と呼ばれる特定の無線リソースに対してアドレス指定（address）される。
【０００４】
ＴＢＦは、一方向データ転送を支援するための移動局とネットワークとの間の一時的な接続である。ＴＢＦは一時的なものであり、データ転送の間のみ維持される。各ＴＢＦには、ネットワークによって一時フロー識別（Temporal flow identity：ＴＦＩ）が割り当てられる。ＴＦＩは各方向の同時の（concurrent）ＴＢＦにおいて一意であり、ＲＬＣ／ＭＡＣ層の移動機ＩＤ（mobile identity）の代わりに使用される。同じＴＦＩが、特定のＴＢＦに属するすべてのＲＬＣヘッダに含まれている。
【０００５】
特定のＴＢＦに対するＡＣＫ／ＮＡＣＫ報告を、他のＴＢＦに指定される可能性があるＲＬＣ／ＭＡＣデータブロック上の「ピギーバック（ｐｉｇｇｙｂａｃｋ）」として送信することが提案されている。ＡＣＫ／ＮＡＣＫ報告を運ぶフィールドを、ピギーバックされたＡＣＫ／ＮＡＣＫ（ＰＡＮ）フィールドと呼ぶ。
【先行技術文献】
【特許文献】
【０００６】
【特許文献１】米国特許出願第１２／０５６，４３３号明細書
【発明の概要】
【発明が解決しようとする課題】
【０００７】
ＰＡＮフィールドは、異なるＴＢＦにアドレス指定される（address）可能性があるデータブロックに含まれるため、ＰＡＮフィールドの指定先となるＴＢＦを識別する必要がある。ＰＡＮフィールドで正しいＴＢＦを識別するために、ＴＦＩまたはアップリンク（ＵＬ）状態フラグ（uplink state flag：ＵＳＦ）の使用など、様々な提案が行われてきた。アップリンクＴＢＦの確立中に、ＵＳＦが各移動局に割り当てられる。ＵＳＦは、次のアップリンク無線ブロックにおいて伝送が許可されるモバイル端末を示すためにネットワークによって使用される。
【０００８】
いずれの場合でも、数ビット（典型的には３から５ビットの範囲）をＰＡＮフィールドのＴＢＦ識別専用にしなければならない。ＴＢＦを識別するために専用のビットが必要としないように、ＰＡＮフィールドの中でＴＢＦ識別を送信する効率的な方法があることが望ましい。
【課題を解決するための手段】
【０００９】
ＰＡＮを送信および受信する方法および装置を開示する。ＰＡＮフィールドがアドレス指定されるＴＢＦを示す方法および装置も開示される。正しく受信したＰＡＮを受け入れる確率（可能性）を下げることなく、誤って受信したＰＡＮを誤って受け入れる（false acceptance）確率を大幅に下げる受信プロセスも開示される。送信局はＰＡＮチェックシーケンス（ＰＣＳ）を生成し、ＰＡＮフィールドおよびＰＣＳに対してチャネルコーディングを実行する。第２の変形形態では、送信局は、ＴＢＦに特有のスクランブルコードを用いて、ＰＡＮフィールドおよびＰＣＳの符号化ビットにスクランブルを掛ける。ＰＡＮフィールドおよびＰＣＳは、ＴＢＦに特有のスクランブルコードを用いてスクランブルが掛けられているため、データブロックが意図された受信局によって受信された場合は、受信局でのＰＣＳ復号は成功し、意図されていない受信局によって受信された場合は、ＰＣＳ復号は失敗する。第３の変形形態では、チャネル符号化の前にスクランブルを実行することができる。３つの変形形態すべてにおいて、送信局は、ＰＣＳを生成するために、ＰＡＮフィールドおよびＴＦＩを組み合わせることができる。さらに、処理の信頼性を大幅に改善する高度な受信機技術を定義する。ＰＡＮフィールド、ＰＣＳ、およびＴＢＦを符号化するための指定された形式に対して、順方向誤り訂正（フォワードエラーコレクション）によるフィルタを使用することで、無効なＰＡＮを誤って受け入れる確率が大幅に下がり、一方で正しく受信したＰＡＮ伝送を受け入れる確率は下がらない。これらの改良は、スクランブルコードがＰＡＮに適用されているかどうかとは無関係に、かつ、ＰＣＳがＴＢＦに依存しているかどうかとは無関係に実現可能である。
【００１０】
より詳細については、添付図面を参照しながら例として提供する下記の記述を読むことで理解できるであろう。
【図面の簡単な説明】
【００１１】
【図１】無線ブロックの例を示す図である。
【図２】一実施形態による送信局の例のブロック図である。
【図３】一実施形態による受信局の例のブロック図である。
【図４】他の実施形態による受信局を示す図である。
【図５】他の実施形態による受信局を示す図である。
【図６】他の実施形態による送信局の例のブロック図である。
【図７】図６の送信局に対応する受信局の例のブロック図である。
【図８】高度な受信処理を従来の受信処理と比較するシミュレーション結果を示す図である。
【発明を実施するための形態】
【００１２】
以下、「無線送受信ユニット（ＷＴＲＵ）」という用語は、移動端末装置（ＵＥ）、移動局、固定または移動可能な加入者端末、携帯無線呼出し局、携帯電話、携帯情報端末（ＰＤＡ）、コンピュータ、または無線環境において動作可能な他のあらゆる種類のユーザ装置を含むが、これらに限定されるものではない。以下、「基地局」という用語は、ノードＢ、サイトコントローラ、アクセスポイント（ＡＰ）、または無線環境において動作可能な他のあらゆる種類の接続装置を含むが、これらに限定されるものではない。
【００１３】
図１は、無線ブロック１００の例を示す図である。データ転送のための無線ブロック１００は、１つのＲＬＣ／ＭＡＣヘッダ１０２、ヘッダチェックシーケンス（ＨＣＳ）１０４、１つまたは複数のＲＬＣデータブロック１０６、ブロックチェックシーケンス（ＢＣＳ）１０８、ＰＡＮフィールド１１０、およびＰＣＳ１１２を含む。ＲＬＣ／ＭＡＣヘッダ１０２、ＲＬＣデータブロック１０６（複数可）、およびＰＡＮフィールド１１０は、誤り検出と訂正のために別々に符号化され、個別のチェックサム（例えば巡回冗長検査（ＣＲＣ）チェックサム）が、それぞれに付けられる。ＲＬＣ／ＭＡＣヘッダ１０２は、ＰＡＮフィールド１１０が無線ブロック１００に含まれているかどうかを示す制御フィールドを含む。ＨＣＳ１０４は、ＲＬＣ／ＭＡＣヘッダ１０２のエラー検出に使用される。ＢＣＳ１０８は、ＲＬＣデータブロック１０６のエラー検出に使用される。ＲＬＣデータブロックごとに個別のＢＣＳを含めることができる。ＰＡＮフィールド１１０は、他方向のＴＢＦに対する肯定応答を提供するために、一方向に送信されたピギーバックされたＡＣＫ／ＮＡＣＫ情報を含む。ＰＣＳ１１２は、ＰＡＮフィールド１１０のエラー検出に使用される。
【００１４】
図２は、一実施形態による送信局２００の例のブロック図である。送信局２００は、ＷＴＲＵまたは基地局でも良い。送信局２００は、ＰＣＳジェネレータ２０２、チャネルコーディングユニット２０４、スクランブルコードジェネレータ２０６（オプション）、加算器２０８（オプション）、および送受信機２１０を含む。ＰＡＮフィールドは、ヘッダおよびＲＬＣデータのペイロードとは別に符号化される。ＰＣＳジェネレータ２０２は、ＰＡＮフィールドを用いてＰＣＳを計算する。例えば、ＰＡＮフィールドは２０ビットで、ＰＣＳは１０ビットとすることができる。チャネルコーディングユニット２０４は、ＰＡＮフィールドおよびＰＣＳを用いてチャネル符号化を実行する。例えば、チャネル符号化は、３０ビットのＰＡＮフィールドおよびＰＣＳから９０ビットの出力を生成する１／３順方向誤り訂正（ＦＥＣ）符号化とすることができる。符号化ビットは８０ビットまで縮小することができる。
【００１５】
スクランブルコードジェネレータ２０６は、ＴＦＩに基づいてＴＢＦに特有のスクランブルコードを生成することができる。スクランブルコードの長さは、チャネル符号化されたビット数と等しくても良い。上記の例では、スクランブルコードは８０ビット長でも良い。一意の（unique）スクランブルコードが、ＴＢＦの各値に対して生成される。スクランブルコードは互いに直交していても良い。スクランブルコードは、大きな最小距離（minimum distance）を持つように設計される。
【００１６】
次に、チャネル符号化されたビットに、ＴＢＦに特有のスクランブルコードを用いてスクランブルを掛けることができる（つまり、加算器２０８によるモジューロ２加算）。スクランブルが掛けられた符号化ビットを含むデータブロックは、送受信機２１０によって伝送される。
【００１７】
図３は、一実施形態による受信局３００の例のブロック図である。受信局３００は、ＷＴＲＵまたは基地局でも良い。受信局３００は、送受信機３０１、スクランブルコードジェネレータ３０２（オプション）、加算器３０４（オプション）、チャネルデコーディングユニット３０６、およびＰＣＳデコーダ３０８を含む。送受信機３０１は、ＰＡＮフィールドおよびＰＣＳのスクランブルが掛けられた符号化ビットを含むデータブロックを受信する。スクランブルコードジェネレータ３０２は、ＴＦＩに基づいてＴＢＦに特有のスクランブルコードを生成する。受信された、ＰＡＮフィールドおよびＰＣＳのスクランブルが掛けられた符号化ビットは逆スクランブルされる（つまり加算器３０４によってＴＢＦに特有のスクランブルコードにモジューロ２加算）。チャネルデコーディングユニット３０６は、ＰＡＮフィールドおよびＰＣＳを取得するために逆スクランブルされた符号化ビットを復号する。次に、ＰＣＳデコーダ３０８（例えばＣＲＣデコーダ）は、受信したＰＡＮフィールドおよびＰＣＳを用いてＰＣＳチェックを実行する。ＰＣＳチェックに合格すると、受信したＰＡＮフィールドは受け入れられるが、ＰＣＳチェックに失敗すると、受信したＰＡＮフィールドは拒否される。ＰＡＮフィールドおよびＰＣＳはＴＢＦに特有のスクランブルコードを用いてスクランブルが掛けられるため、データブロックが意図した受信局によって受信されるとＰＣＳ復号は合格し、データブロックが意図していない受信局によって受信されるとＰＣＳ復号は失敗する。
【００１８】
図４は、他の実施形態による受信局４００を示す図である。受信局４００は、送受信機４０１、スクランブルコードジェネレータ４０２（オプション）、加算器４０４（オプション）、チャネルデコーディングユニット４０６、ＰＣＳデコーダ４０８、およびコンパレータ４１０を含む。本明細書に開示する実施形態は、スクランブルを用いても、またはスクランブルを用いなくても実装することができる。送受信機４０１は、ＰＡＮフィールドおよびＰＣＳの（スクランブルが掛けられている、またはスクランブルが掛けられていない）符号化ビットを含むデータブロックを受信する。スクランブルコードジェネレータ４０２は、ＴＦＩに基づいてＴＢＦに特有のスクランブルコードを生成することができる（該当する場合）。ＰＡＮフィールドおよびＰＣＳの受信した符号化ビットは逆スクランブルすることができる（つまり加算器４０４によってＴＢＦに特有のスクランブルコードにモジューロ２加算）（該当する場合）。チャネルデコーディングユニット４０６は、ＰＡＮフィールドおよびＰＣＳを取得するために符号化ビットを復号する。
【００１９】
従来のＣＲＣに基づくエラー検出機構よりＰＡＮフィールドのエラー検出のパフォーマンスを向上するために、受信局４００はソフトメトリック（ｓｏｆｔ  ｍｅｔｒｉｃｓ）を利用して、チャネルデコーディングのパフォーマンスを推測することができる。コンパレータ４１０は、チャネルデコーディングユニット４０６によって計算されたソフトメトリックを閾値に対して比較することができる。ソフトメトリックに基づいて、チャネルのリンク品質が悪いと評価されると、受信局４００は、ＰＣＳ復号の前に、受信したＰＡＮフィールドを拒否することができる。
【００２０】
例えば、ビタビタイプのＦＥＣデコーダに対して、ソフトメトリックは最善の生存パスメトリック（ｓｕｒｖｉｖｏｒ  ｐａｔｈ  ｍｅｔｒｉｃ）でも良い（受信したシーケンスと評価した最適パスとの間のエラーを測定する）。最善の生存パスメトリック（復号アルゴリズムに応じて最高または最低）は閾値と比較され、比較結果に基づいてＰＡＮフィールドを廃棄することができる。
【００２１】
あるいは、ソフトメトリックは、最善および２番目に良い生存パスメトリック間の差、または最善および最悪の生存パスメトリック間の差でも良い。受信した信号がチャネルによってひどく破損している場合は、残存するパスは互いに接近している可能性があり、パスメトリック差のダイナミックレンジは小さい可能性がある。他方では、チャネルによる信号の破損がわずかな場合は、メトリックはより大きい可能性がある。違いは閾値と比較され、差が閾値未満である場合（または復号アルゴリズムによっては閾値より大きい場合）、ＰＡＮフィールドを廃棄することができる。
【００２２】
次に、ＰＣＳデコーダ４０８（例えばＣＲＣデコーダ）は、受信したＰＡＮフィールドおよびＰＣＳを用いてＰＣＳチェックを実行する。ＰＣＳチェックに合格すると、受信したＰＡＮフィールドは受け入れられるが、ＰＣＳチェックに失敗すると、受信したＰＡＮフィールドは拒否される。
【００２３】
図５は、他の実施形態による受信局５００を示す図である。受信局５００は、送受信機５０１、スクランブルコードジェネレータ５０２（オプション）、加算器５０４（オプション）、チャネルデコーディングユニット５０６、ＰＣＳデコーダ５０８、ビット誤りカウンタ５１０、およびコンパレータ５１２を含む。本明細書に開示する実施形態は、スクランブルを用いても、またはスクランブルを用いなくても実装することができる。送受信機５０１は、ＰＡＮフィールドおよびＰＣＳの（スクランブルが掛けられている、またはスクランブルが掛けられていない）符号化ビットを含むデータブロックを受信する。スクランブルコードジェネレータ５０２は、ＴＦＩに基づいてＴＢＦに特有のスクランブルコードを生成することができる（該当する場合）。ＰＡＮフィールドおよびＰＣＳの受信した符号化ビットは逆スクランブルすることができる（つまり加算器５０４によってＴＢＦに特有のスクランブルコードにモジューロ２加算）（該当する場合）。チャネルデコーディングユニット５０６は、ＰＡＮフィールドおよびＰＣＳを取得するために符号化ビットを復号する。
【００２４】
ビット誤りカウンタ５１０は、ビット誤りの数を計算する。コンパレータ５１２は、計算されたビット誤り数を閾値と比較する。ビット誤りの数は、再符号化されたＰＡＮフィールドおよびＰＣＳビットを、チャネルデコーダ５０６の入力（つまり硬判定または軟判定ビット（該当する場合は逆スクランブル後））と比較することにより計算することができる（つまり、ＦＥＣ復号されたＰＡＮフィールドおよびＰＣＳビットに対して、ＦＥＣ符号化を再度実行する）。計算されたビット誤り数が閾値より大きい場合は、受信したＰＡＮフィールドは拒否される。
【００２５】
図６は、他の実施形態による送信局６００の例のブロック図である。この実施形態では、チャネルコーディング前にスクランブルを実行することができる。送信局６００は、ＰＣＳジェネレータ６０２、スクランブルコードジェネレータ６０４（オプション）、加算器６０６（オプション）、チャネルコーディングユニット６０８、および送受信機６１０を含む。ＰＣＳジェネレータ６０２は、ＰＡＮフィールドを用いてＰＣＳを生成する。スクランブルコードジェネレータ６０４は、ＴＦＩに基づいてＴＢＦに特有のスクランブルコードを生成する。例えば、ＰＡＮフィールドが２０ビットで、ＰＣＳが１０ビットの場合、ＰＡＮフィールドおよびＰＣＳにスクランブルを掛けるために、３０ビットのＴＢＦに特有のスクランブルコードを生成することができる。従来の符号化を使用して、５ビットのＴＦＩを３０ビットのスクランブルコードにマッピングすることができる。優れたコードのセットは、最大の最小距離を持ち、この最小値の発生頻度が最低である。これらの条件下では、他局に指定されたＰＡＮフィールドを誤って受け入れる確率が最小になる。
【００２６】
スクランブルコードは、加算器６０６によってＰＡＮフィールドおよびＰＣＳビットにモジューロ２加算される。スクランブルが掛けられたＰＡＮフィールドおよびＰＣＳビットは、チャネルコーディングユニット６０８によってチャネル符号化される。次に、チャネル符号化されたビットは、送受信機６１０によって伝送される。この実施形態は、スクランブル対象のシーケンスの長さがより短いという長所、およびチャネル誤りはチャネル符号化（つまりＦＥＣ）によって訂正されるという長所を持つ。
【００２７】
図７は、図６の送信局に対応する受信局７００の例のブロック図である。受信局７００は、送受信機７０１、チャネルデコーダ７０２、スクランブルコードジェネレータ７０４（オプション）、加算器７０６（オプション）、およびＰＣＳデコーダ７０８を含む。送受信機７０１は、スクランブルが掛けられたＰＡＮフィールドおよびＰＣＳから生成された符号化ビットを含むデータブロックを受信する。チャネルデコーダ７０２は、スクランブルが掛けられたＰＡＮフィールドおよびＰＣＳを再生するために、チャネルコーディングされたビットを復号する。スクランブルコードジェネレータ７０４は、ＴＦＩに基づいてＴＢＦに特有のスクランブルコードを生成する。スクランブルコードは、スクランブルが掛けられていないＰＡＮフィールドおよびＰＣＳを再生するために、加算器７０６によって、スクランブルが掛けられたＰＡＮフィールドおよびＰＣＳにモジューロ２加算される。次に、ＰＣＳデコーダ７０８は、スクランブルが掛けられていないＰＡＮフィールドおよびＰＣＳを用いてＰＣＳチェックを実行する。ＰＣＳチェックに合格すると、受信したＰＡＮフィールドは受け入れられるが、ＰＣＳチェックに失敗すると、受信したＰＡＮフィールドは拒否される。
【００２８】
受信局７００は、ソフトメトリックを閾値と比較するためにオプションとしてコンパレータを含むことができる（図４の受信局４００と同様）。また、ビット誤り数を計算し閾値に対して比較するためにビット誤りカウンタおよびコンパレータを含むこともできる（図５の受信局５００と同様）。スクランブル化機構はオプションであり、高度な受信機技術（ソフトメトリック受信処理）は、スクランブル化機能と無関係に実装できることに注意されたい。
【００２９】
他の実施形態によると、ＴＦＩ（例えば５ビット長）をＰＡＮフィールドと組み合わせることができ、ＰＣＳは組み合わせたＰＡＮフィールドおよびＴＦＩを用いて計算することができる。ＰＣＳを計算した後、ＴＦＩは取り除かれて、ＰＡＮフィールドおよび計算されたＰＣＳはチャネル符号化されて伝送される。受信局は、チャネル復号化の後に、自身のＴＦＩを復号されたビットに挿入する。次に、受信局はＰＣＳチェックを実行する。意図された受信局はＰＣＳチェックに合格し、意図されていない受信局は、自身のＴＦＩを挿入することによって、５ビット以下のエラーのバーストを導入する。１０ビットのｈｈは、１１ビット未満のエラーのバーストをすべて検知できるため、意図されていない受信局はＣＲＣチェックに失敗し、非常に高い確率でＰＡＮメッセージを拒否する。
【００３０】
上に開示したソフトメトリックを使用する機構は、ＦＥＣデコーダは硬判定出力（例えば量子化された２進出力）を生成するという暗黙の仮定に基づいている。この機構は、ＦＥＣデコーダが軟判定出力を生成する場合まで広げることができる。例えば、ＦＥＣデコーダはビット誤り確率（ＢＥＰ）を生成することができる。これは復号されたビットの信頼性の評価である。上記のように、このようなソフトメトリックは、ＰＡＮ検出処理を支援するために直接使用することができる。
【００３１】
図４および図５に関して記述したような、デコーダからソフトメトリックを使用する受信機の実施形態は、任意の送信機および受信機の実装に適用可能であり、本明細書に開示された送信機および受信機の実装だけに限定されない。例えば、ソフトメトリック受信処理（図４および図５に関して開示された受信処理機構）は、送信機がＰＡＮフィールドを送信し、ＰＣＳはＴＦＩを用いてマスクされるケースに適用することができる（例えば、特許文献１を参照）。
【００３２】
図８は、ソフトメトリック受信処理を従来の受信処理と比較するシミュレーション結果を示した図である。このシミュレーションでは、スクランブルを無効にして、ＣＲＣ  ＴＦＩマスクおよびソフトメトリック受信処理を実装している。推定されたロー（raw）ビット誤りは、ソフトメトリックとして使用される。次の３つのケースが考えられる。 
（Ａ）２０ビットのペイロード＋１０ビットのＣＲＣ→８０ロー（raw）ビット（ベースライン）、
（Ｂ）２０ビットのペイロード＋８ビットのＣＲＣ→８０ロービット、および
（Ｃ）２０ビットのペイロード＋８ビットのＣＲＣ→（８０−ｎ）ロービット、ｎ＝１、２、．．．、５。
（Ｂ）および（Ｃ）の場合、ソフトメトリック受信処理が適用される。
２つのパフォーマンスメトリックは、以下のように測定された。
（１）意図されたＷＴＲＵに対する、１−Ｐｒ（正しい受け入れ）  対  −０．６ｄＢ〜２．４ｄＢのＳＮＲ、および
（２）−０．６ｄＢに対し、意図されたおよび意図されていないＷＴＲＵの両方に対するＰｒ（誤った受け入れ｜誤った復号ブロック）
−０．６ｄＢでは、ソフトメトリックフィルタリングの閾値は、表１に示す３つのケースすべてに対して、同じまたは類似する確率Ｐｒ（誤った受け入れ｜誤った復号ブロック）を持つように選択した。
【００３３】
【表１】
0005453244.tif 000002
【００３４】
図８に示すように、ソフトメトリック受信処理は、意図したユーザに対する正しい受け入れの確率を約０．２５ｄＢ増加させるか、またはベースライン手法と同じまたは似た誤った受け入れの確率で、ＰＡＮのロービットを４ビット減少させることができる。
【００３５】
実施形態
１．ＰＡＮフィールドの指定先となるＴＢＦを示す方法。  
２．ＰＡＮフィールドに対してＰＣＳを生成すること（ステップ）を含む実施形態１に記載の方法。  
３．符号化ビットを生成するために、ＰＡＮフィールドおよびＰＣＳに対してＦＥＣ符号化を実行することを含む実施形態２に記載の方法。  
４．ＴＢＦに特有のスクランブルコードを用いて符号化ビットにスクランブルを掛けることを含む実施形態３に記載の方法。  
５．スクランブルが掛けられた符号化ビットを含むデータブロックを送信することを含む実施形態４に記載の方法。  
６．ＴＢＦに特有のスクランブルコードを用いてＰＡＮフィールドおよびＰＣＳにスクランブルを掛けることを含む実施形態２に記載の方法。  
７．符号化ビットを生成するために、スクランブルが掛けられたＰＡＮフィールドおよびＰＣＳに対してＦＥＣ符号化を実行することを含む実施形態６に記載の方法。  
８．符号化ビットを含むデータブロックを送信することを含む実施形態７に記載の方法。  
９．ＰＡＮフィールドおよびＴＦＩを組み合わせることを含む実施形態１に記載の方法。  
１０．組み合わせたＰＡＮフィールドおよびＴＦＩを用いてＰＣＳを生成することを含む実施形態９に記載の方法。  
１１．ＴＦＩを取り除くことを含む実施形態１０に記載の方法。  
１２．符号化ビットを生成するために、ＰＡＮフィールドおよびＰＣＳに対してＦＥＣ符号化を実行することを含む実施形態１１に記載の方法。  
１３．符号化ビットを含むデータブロックを送信することを含む実施形態１２に記載の方法。  
１４．ＰＡＮフィールドを処理する方法。  
１５．ＰＡＮフィールドおよびＰＣＳのスクランブルが掛けられた符号化ビットを含むデータブロックを受信することを含む実施形態１４に記載の方法。  
１６．ＴＢＦに特有のスクランブルコードを用いてスクランブルが掛けられた符号化ビットを逆スクランブルすることを含む実施形態１５に記載の方法。  
１７．ＰＡＮフィールドおよびＰＣＳを取得するために、逆スクランブルされた符号化ビットを復号することを含む実施形態１６に記載の方法。  
１８．ＰＡＮフィールドおよびＰＣＳを用いてＰＣＳチェックを実行することを含む実施形態１７に記載の方法。  
１９．復号する間に計算されたソフトメトリックを閾値と比較することをさらに含む実施形態１７〜１８のいずれかに記載の方法。  
２０．比較結果に基づいてＰＡＮフィールドを受け入れることを含む実施形態１９に記載の方法。  
２１．ソフトメトリックは、ビタビタイプの順方向誤り訂正復号において最善の生存パスメトリックである実施形態１９〜２０のいずれかに記載の方法。  
２２．ソフトメトリックは、ビタビタイプの順方向誤り訂正復号において、最善の生存パスメトリックおよび２番目に良い生存パスメトリック間の差である実施形態１９〜２０のいずれかに記載の方法。  
２３．ビット誤り数を計算することをさらに含む実施形態１７〜１８のいずれかに記載の方法。  
２４．ビット誤り数を閾値と比較することを含む実施形態２３に記載の方法。  
２５．ビット誤り数が閾値より小さい場合はＰＡＮフィールドを受け入れ、ビット誤り数が閾値より小さくない場合はＰＡＮフィールドを拒否することを含む実施形態２４に記載の方法。  
２６．スクランブルが掛けられたＰＡＮフィールドおよびＰＣＳの符号化ビットを含むデータブロックを受信することを含む実施形態１４に記載の方法。  
２７．スクランブルが掛けられたＰＡＮフィールドおよびＰＣＳを取得するために符号化ビットを復号することを含む実施形態２６に記載の方法。  
２８．ＴＢＦに特有のスクランブルコードを用いてスクランブルが掛けられたＰＡＮフィールドおよびＰＣＳを逆スクランブルすることを含む実施形態２７に記載の方法。 
２９．ＰＡＮフィールドおよびＰＣＳを用いてＰＣＳチェックを実行することを含む実施形態２８に記載の方法。  
３０．復号する間に計算されたソフトメトリックを閾値と比較することをさらに含む実施形態２７〜２９のいずれかに記載の方法。  
３１．比較結果に基づいてＰＡＮフィールドを受け入れることを含む実施形態３０に記載の方法。  
３２．ソフトメトリックは、ビタビタイプの順方向誤り訂正復号において最善の生存パスメトリックである実施形態３０〜３１のいずれかに記載の方法。  
３３．ソフトメトリックは、ビタビタイプの順方向誤り訂正復号において、最善の生存パスメトリックおよび２番目に良い生存パスメトリック間の差である実施形態３０〜３１のいずれかに記載の方法。  
３４．ビット誤り数を計算することをさらに含む実施形態２７〜２９のいずれかに記載の方法。  
３５．ビット誤り数を閾値と比較することを含む実施形態３４に記載の方法。  
３６．ビット誤り数が閾値より小さい場合はＰＡＮフィールドを受け入れ、ビット誤り数が閾値より小さくない場合はＰＡＮフィールドを拒否することを含む実施形態３５に記載の方法。  
３７．ＰＡＮフィールドおよびＰＣＳの符号化ビットを含むデータブロックを受信することを含む実施形態１４に記載の方法。  
３８．ＰＡＮフィールドおよびＰＣＳを取得するために、符号化ビットを復号することを含む実施形態３７に記載の方法。  
３９．ＰＡＮフィールドをＴＦＩに組み合わせることを含む実施形態３８に記載の方法。  
４０．ＰＣＳならびに組み合わせたＰＡＮフィールドおよびＴＦＩを用いてＰＣＳチェックを実行することを含む実施形態３９に記載の方法。  
４１．ＰＡＮフィールドの指定先となるＴＢＦを示す装置。  
４２．ＰＣＳを生成するためにＰＡＮフィールドを処理するＰＣＳジェネレータを含む実施形態４１に記載の装置。  
４３．符号化ビットを生成するためにＰＡＮフィールドおよびＰＣＳを符号化するＦＥＣエンコーダを含む実施形態４２に記載の装置。  
４４．ＴＢＦに特有のスクランブルコードを用いて符号化ビットにスクランブルを掛けるスクランブラを含む実施形態４３に記載の装置。  
４５．スクランブルが掛けられた符号化ビットを含むデータブロックを送信する送受信機を含む実施形態４４に記載の装置。  
４６．ＴＢＦに特有のスクランブルコードを用いてＰＡＮフィールドおよびＰＣＳにスクランブルを掛けるスクランブラを含む実施形態４２に記載の装置。  
４７．符号化ビットを生成するために、スクランブルが掛けられたＰＡＮフィールドおよびＰＣＳを符号化するＦＥＣエンコーダを含む実施形態４６に記載の装置。  
４８．符号化ビットを含むデータブロックを送信する送受信機を含む実施形態４７に記載の装置。  
４９．ＰＣＳを生成するために、ＰＡＮフィールドおよびＴＦＩを処理するＰＣＳジェネレータを含む実施形態４１に記載の装置。  
５０．符号化ビットを生成するために、ＰＡＮフィールドおよびＰＣＳを符号化するＦＥＣエンコーダを含む実施形態４９に記載の装置。  
５１．符号化ビットを含むデータブロックを送信する送受信機を含む実施形態５０に記載の装置。  
５２．ＰＡＮフィールドを処理する装置。  
５３．ＰＡＮフィールドおよびＰＣＳのスクランブルが掛けられた符号化ビットを含むデータブロックを受信する送受信機を含む実施形態５２に記載の装置。  
５４．ＴＢＦに特有のスクランブルコードを用いてスクランブルが掛けられた符号化ビットを逆スクランブルするデスクランブラを含む実施形態５３に記載の装置。  
５５．ＰＡＮフィールドおよびＰＣＳを取得するために、逆スクランブルされた符号化ビットを復号するデコーダを含む実施形態５４に記載の装置。  
５６．ＰＡＮフィールドおよびＰＣＳを用いてＰＣＳチェックを実行するＰＣＳデコーダを含む実施形態５５に記載の装置。  
５７．逆スクランブルされた符号化ビットを復号する間に計算されたソフトメトリックを閾値と比較するコンパレータをさらに含み、ＰＡＮフィールドは比較結果に基づいて受け入れられる実施形態５５〜５６のいずれかに記載の装置。  
５８．ソフトメトリックは、ビタビタイプの順方向誤り訂正復号において最善の生存パスメトリックである実施形態５７に記載の装置。  
５９．ソフトメトリックは、ビタビタイプの順方向誤り訂正復号において、最善の生存パスメトリックおよび２番目に良い生存パスメトリック間の差である実施形態５７に記載の装置。  
６０．ビット誤り数をカウントするビット誤りカウンタをさらに含む実施形態５５〜５６のいずれかに記載の装置。  
６１．ビット誤りの数を閾値と比較するコンパレータを含み、ビット誤りの数が閾値より小さい場合はＰＡＮフィールドが受け入れられ、ビット誤りの数が閾値より小さくない場合は拒否される実施形態６０に記載の装置。  
６２．スクランブルが掛けられたＰＡＮフィールドおよびＰＣＳの符号化ビットを含むデータブロックを受信する送受信機を含む実施形態５２に記載の装置。  
６３．スクランブルが掛けられたＰＡＮフィールドおよびＰＣＳを取得するために、符号化ビットを復号するデコーダを含む実施形態６２に記載の装置。  
６４．ＴＢＦに特有のスクランブルコードを用いてスクランブルが掛けられたＰＡＮフィールドおよびＰＣＳを逆スクランブルするデスクランブラを含む実施形態６３に記載の装置。  
６５．ＰＡＮフィールドおよびＰＣＳを用いてＰＣＳチェックを実行するＰＣＳデコーダを含む実施形態６４に記載の装置。  
６６．符号化ビットを復号する間に計算されたソフトメトリックを閾値と比較するコンパレータをさらに含み、ＰＡＮフィールドは比較結果に基づいて受け入れられる実施形態６３〜６５のいずれかに記載の装置。  
６７．ソフトメトリックは、ビタビタイプの順方向誤り訂正復号において最善の生存パスメトリックである実施形態６６に記載の装置。  
６８．ソフトメトリックは、ビタビタイプの順方向誤り訂正復号において、最善の生存パスメトリックおよび２番目に良い生存パスメトリック間の差である実施形態６６に記載の装置。  
６９．ビット誤りの数を数えるビット誤りカウンタをさらに含む実施形態６３〜６５のいずれかに記載の装置。  
７０．ビット誤りの数を閾値と比較するコンパレータを含み、ビット誤りの数が閾値より小さい場合はＰＡＮフィールドが受け入れられ、ビット誤りの数が閾値より小さくない場合は拒否される実施形態６９に記載の装置。  
７１．ＰＡＮフィールドおよびＰＣＳの符号化ビットを含むデータブロックを受信する送受信機を含む実施形態５２に記載の装置。  
７２．ＰＡＮフィールドおよびＰＣＳを取得するために符号化ビットを復号するデコーダを含む実施形態７１に記載の装置。  
７３．ＰＣＳならびに組み合わせたＰＡＮフィールドおよびＴＦＩを用いてＰＣＳチェックを実行するＰＣＳデコーダを含む実施形態７２に記載の装置。  
７４．ＰＡＮフィールドを処理する方法。  
７５．ＰＡＮフィールドおよびＰＣＳの符号化ビットを含むデータブロックを受信することを含む実施形態７４に記載の方法。  
７６．ＰＡＮフィールドおよびＰＣＳを取得するために、符号化ビットを復号することを含む実施形態７５に記載の方法。  
７７．ソフトメトリックを閾値と比較することを含む実施形態７６に記載の方法。  
７８．比較結果に基づいてＰＡＮフィールドが受け入れ可能な場合は、ＰＡＮフィールドおよびＰＣＳを用いてＰＣＳチェックを実行することを含む実施形態７７に記載の方法。  
７９．ソフトメトリックは、ビタビタイプの順方向誤り訂正復号において最善の生存パスメトリックである実施形態７７〜７８のいずれかに記載の方法。  
８０．ソフトメトリックは、ビタビタイプの順方向誤り訂正復号において、最善の生存パスメトリックおよび２番目に良い生存パスメトリック間の差である実施形態７７〜７８のいずれかに記載の方法。  
８１．ソフトメトリックはビット誤り数である実施形態７７〜７８のいずれかに記載の方法。  
８２．ＰＡＮフィールドを処理する装置。  
８３．ＰＡＮフィールドおよびＰＣＳの符号化ビットを含むデータブロックを受信する送受信機を含む実施形態８２に記載の装置。  
８４．ＰＡＮフィールドおよびＰＣＳを取得するために、符号化ビットを復号するデコーダを含む実施形態８３に記載の装置。  
８５．ソフトメトリックを閾値と比較するコンパレータを含む実施形態８４に記載の装置。  
８６．比較結果に基づいてＰＡＮフィールドが受け入れ可能な場合は、ＰＡＮフィールドおよびＰＣＳを用いて、ＰＣＳチェックを実行するＰＣＳデコーダを含む実施形態８５に記載の装置。  
８７．ソフトメトリックは、ビタビタイプの順方向誤り訂正復号において最善の生存パスメトリックである実施形態８５〜８６のいずれかに記載の装置。  
８８．ソフトメトリックは、ビタビタイプの順方向誤り訂正復号において、最善の生存パスメトリックおよび２番目に良い生存パスメトリック間の差である実施形態８５〜８６のいずれかに記載の装置。  
８９．ソフトメトリックはビット誤り数である実施形態８５〜８６のいずれかに記載の装置。
【００３６】
特徴および構成要素は特定の組合せを用いて説明されているが、各特徴または構成要素は、他の特徴および構成要素を用いずに単独で用いることができる。または他の特徴および構成要素を用いてもしくは用いずに様々な組合せで用いることもできる。本明細書で提供される方法またはフローチャートは、汎用コンピュータまたはプロセッサによって実行するためにコンピュータで読み出し可能な記憶媒体に組み込まれているコンピュータプログラム、ソフトウェア、またはファームウェアに実装することができる。コンピュータ読出し可能な記憶媒体の例としては、読み出し専用メモリ（ＲＯＭ）、ランダムアクセスメモリ（ＲＡＭ）、レジスタ、キャッシュメモリ、半導体記憶装置、内蔵型ハードディスクおよび取り外し可能ディスクなどの磁気媒体、光磁気媒体、およびＣＤ−ＲＯＭディスクなどの光学式媒体、ならびにデジタル多用途ディスク（ＤＶＤ）などがある。
【００３７】
適したプロセッサの例を挙げると、汎用プロセッサ、特殊用途向けプロセッサ、従来のプロセッサ、デジタル信号プロセッサ（ＤＳＰ）、複数のマイクロプロセッサ、ＤＳＰコアと共に用いる１つまたは複数のマイクロプロセッサ、コントローラ、マイクロコントローラ、特定用途向け集積回路（ＡＳＩＣ）、書き替え可能ゲートアレイ（ＦＰＧＡ）回路、その他の種類の集積回路（ＩＣ）、および／または状態遷移マシーンなどがある。
【００３８】
プロセッサをソフトウェアと共に使用することで、無線送受信ユニット（ＷＴＲＵ）、ユーザ装置（ＵＥ）、端末、基地局、無線ネットワーク制御装置（ＲＮＣ）、またはホストコンピュータで使用するＲＦ送受信機を実装することができる。ＷＴＲＵは、カメラ、ビデオカメラモジュール、テレビ電話、スピーカーホン、振動装置、スピーカー、マイクロホン、テレビの送受信装置、ハンズフリーヘッドセット、キーボード、Ｂｌｕｅｔｏｏｔｈ（登録商標）モジュール、ＦＭ無線装置、液晶表示装置（ＬＣＤ）、有機発光ダイオード（ＯＬＥＤ）表示装置、デジタル音楽プレーヤー、メディアプレーヤー、ビデオゲームプレーヤーモジュール、インターネットブラウザ、および／または無線ローカルエリアネットワーク（ＷＬＡＮ）または超広帯域（ＵＷＢ）モジュールなど、ハードウェアおよび／またはソフトウェアに実装されたモジュールと共に使用することができる。  
【図１】
0005453244.tif 000003
【図２】
0005453244.tif 000004
【図３】
0005453244.tif 000005
【図４】
0005453244.tif 000006
【図５】
0005453244.tif 000007
【図６】
0005453244.tif 000008
【図７】
0005453244.tif 000009
【図８】
0005453244.tif 000010